(57)【特許請求の範囲】
【請求項１】
点火バーナ及び燃焼ファン、並びに木質ペレット投入管を備えた燃焼機構として働く一次燃焼用の燃焼筒体と、この燃焼筒体に連設された二次燃焼用の燃焼炉、及び／又は、この燃焼炉の送出側にある三次燃焼用の燃焼ピットを備えてなる木質ペレット暖房機の一次燃焼用の燃焼筒体であって、
前記投入管には、前記燃焼筒体の内部に到る投入シュータを付設し、また、燃焼筒体の内部底面で、かつ前記投入シュータの先端位置に、傾斜山部を付設し、この傾斜山部の傾斜面の幅方向の中心に窪みを備え、この窪みは、火炎の通り道として役立つことを特徴とする構成とした木質ペレット暖房機の一次燃焼用の燃焼筒体。
【請求項２】
前記傾斜山部は、その傾斜の頂点は、前記燃焼筒体の入口側に設けた開閉扉との当接開口壁面で、この傾斜の本体部は、この頂点から燃焼筒体の内部に向かって、順次、低くなり、かつこの傾斜本体部の終端は、前記底面と、同じ面とでなり、前記傾斜山部を形成する構成とした請求項１に記載の木質ペレット暖房機の一次燃焼用の燃焼筒体。
【請求項３】
前記投入シュータは、前記木質ペレット投入管に取付けできる構成とした請求項１に記載の木質ペレット暖房機の一次燃焼用の燃焼筒体。
【請求項４】
前記投入シュータは、前記木質ペレットを、燃焼筒体の当接開口壁面を乗越え、底面の内部に到らせる構成とした請求項１、又は請求項３に記載の木質ペレット暖房機の一次燃焼用の燃焼筒体。
【請求項５】
前記傾斜山部は、前記燃焼筒体の底面に取付けできる構成とした請求項１に記載の木質ペレット暖房機の一次燃焼用の燃焼筒体。
【請求項６】
前記燃焼ピットは、前記燃焼炉の送出側にある、少なくとも、燃焼ガス及び燃えカスを空中に拡散して燃焼可能とする構成とした請求項１に記載の木質ペレット暖房機の一次燃焼用の燃焼筒体。
【発明の詳細な説明】
【技術分野】
【０００１】
本発明は、ハウス用の暖房機として有効であり、かつ、再生可能なエネルギーを使用している為ＣО２（二酸化炭素）を増加させない暖房機であって、所謂、木質ペレット（木質系バイオマス燃料）暖房機の一次燃焼用の燃焼筒体（バーナの火炎による着火部で、かつ第一次燃焼筒体となる）に関する。
【背景技術】
【０００２】
近年、ＣО２等の温室効果ガスによる地球温暖化問題、即ち、ＣО２の削減が求められている。これに鑑み、木質系バイオマス燃料（木質ペレット）による燃焼機（燃焼炉）が、ハウスの暖房手段として必要とされている。
【０００３】
この種の木質ペレット燃焼機においては、木質ペレット燃料（燃料とする）は、燃焼後に灰となり、その量は燃料の種類によって異なるが、火格子（燃料皿、ロストル）に灰が堆積することがある。堆積は、燃焼用の空気の流通が阻害されて燃焼状態が不安定となる場合があるので、改良として、特開２０１０−１６４２６１号公報（文献１）の発明が提案されている。この発明は、燃焼室にある燃焼灰を、攪拌翼で積極的に排出し、灰の堆積を無くし、また、安定した燃焼状態の維持を図る構造である。即ち、堆積した灰（燃焼残渣）が、高温の熱に晒されてガラス質になること、及び攪拌翼の変形やガラス質の付着による機能障害を起こすこと等を回避する。しかし、この文献１は、少なくとも、攪拌翼を設けること、及び燃焼皿に工夫を要することから、装置の複雑化と、コストの上昇が考えられる。
【０００４】
その他関連する発明として、灰を強制的に除去して安定した燃焼状態を維持するための装置が挙げられる。例えば、特開２００４−２７０９８０号公報（文献２）であり、火格子には、その上に堆積形成された火床と干渉しつつ運動することによって火床を掻き崩す火掻動作が可能な可動体を設ける構造であるので、可動体が常に燃焼筒体内にあるため、高温の熱に晒され変形やガラス質の付着が発生する問題と、又は可動体等の機器の酸化による劣化も早いという不具合が考えられる。また、特開２００５−２０１５７５号公報（文献３）は、固形燃料の灰（燃焼残渣）を、燃焼皿の内側で粉砕する粉砕手段と，灰を排出する回転軸を設けた構造である。従って、粉砕手段等を設ける必要と、燃焼容器に工夫を要し、装置の複雑化と、コストの大幅な上昇が考えられる。
【０００５】
【特許文献１】特開２０１０−１６４２６１号公報
【特許文献２】特開２００４−２７０９８０号公報
【特許文献３】特開２００５−２０１５７５号公報
【発明の概要】
【発明が解決しようとする課題】
【０００６】
先行文献の問題解決を図るために、本発明は、以下のことを目的とする。
【０００７】
１．）  木質ペレット暖房機の燃焼筒体（一次燃焼用の）には、投入シュータと、傾斜山部とを設けた構造を提供し、燃焼を確保し、燃料、及び／又は、燃えカス等を略完全燃するとともに、安定した燃焼状態を維持する。即ち、火格子に、灰が堆積しない（灰が、略残らない）構造とする。又は、燃焼効率を上げて燃焼ガス及び燃えカスを無くし、残留する灰を略無くすこと（灰を、可及的に０とすること）で、燃焼筒体内の掃除回数を少なくし、保守管理の容易化が図れること。
【０００８】
２．）  灰が、高温の熱に晒され変形することや、火格子、内面へのガラス質（ガラス塊）の付着を無くし、かつ火格子、及び燃焼筒体、燃焼ピットの内面等の機器の酸化による劣化を無くし得る。
【０００９】
３．）  一次燃焼用の燃焼筒体で完全燃焼を図るか、又は燃焼ガス及び燃焼カスを、燃焼筒体に連設された二次燃焼用の燃焼炉、及び／又は、三次燃焼用の燃焼ピットに確実に搬送し、完全燃焼を達成できる。
【００１０】
４．）  燃焼カスは、灰となりサイクロン集塵機で集められるために、燃焼筒体、二次燃焼用の燃焼炉、及び／又は、三次燃焼用の燃焼ピットには、灰が残らない。従って、燃焼筒体、二次燃焼用の燃焼炉等の中の燃えカス・灰の掃除は、月１回程度か、又は不要となる。
【課題を解決するための手段】
【００１１】
本発明は、前述した１．）〜４．）を達成するために、請求項１〜６を提案する。
【発明の効果】
【００１２】
請求項１の発明は、点火バーナ及び燃焼ファン、並びに木質ペレット投入管を備えた燃焼機構として働く一次燃焼用の燃焼筒体と、燃焼筒体に連設された二次燃焼用の燃焼炉、及び／又は、燃焼炉の送出側にある三次燃焼用の燃焼ピットを備えてなる木質ペレット暖房機の一次燃焼用の燃焼筒体であって、
投入管には、燃焼筒体の内部に到る投入シュータを付設し、また、燃焼筒体の内部底面で、かつ投入シュータの先端位置に、傾斜山部を付設し、傾斜山部の傾斜面の幅方向の中心に窪みを備え、窪みは、火炎の通り道として役立つことを特徴とする構成とした木質ペレット暖房機の一次燃焼用の燃焼筒体であり、下記の特徴がある。
【００１３】
１．）  一次燃焼用の燃焼筒体には、投入シュータと、中心に火炎の通り道となる窪みを備えた傾斜山部とを設けた構造であり、燃焼を確保し、燃料、及び／又は、燃焼カス等を略完全燃するとともに、安定した燃焼状態を維持し、火格子に、灰が堆積しない（灰が、略残らない）構造とする。又は、併せて、燃焼筒体内の掃除回数を少なくし、保守管理の容易化を図る。さらに燃えカスの流れに有効である。
【００１４】
２．）  灰が、高温の熱に晒され変形することや、火格子、機材内面へのガラス質の付着を無くし、かつ火格子、及び内面等の機器の酸化による劣化を無くし得る。
【００１５】
３．）  一次燃焼用の燃焼筒体において完全燃焼を図るが、仮に燃焼ガス及び燃焼カスがある際には、燃焼筒体に連設された二次燃焼用の燃焼炉、及び／又は、三次燃焼用の燃焼ピットに確実に搬送し、完全燃焼を達成できる。
【００１６】
４．）  燃焼カスは、灰となりサイクロン集塵機で集められるために、燃焼筒体、二次燃焼用の燃焼炉、及び／又は、三次燃焼用の燃焼ピットには、灰が残らず、この燃焼筒体、二次燃焼用の燃焼炉等の中の燃えカス・灰の掃除は、月１回程度か、又は不要となる。
【００１７】
請求項２の発明は、傾斜山部は、傾斜の頂点は、燃焼筒体の入口側に設けた開閉扉との当接開口壁面で、傾斜の本体部は、頂点から燃焼筒体の内部に向かって、順次、低くなり、かつ傾斜本体部の終端は、底面と、同じ面とでなり、傾斜山部を形成する木質ペレット暖房機の一次燃焼用の燃焼筒体であり、請求項１に記載の１．）と２．）、並びに４．）が図れる燃焼筒体の構造を提供できる。
【００１８】
請求項３の発明は、投入シュータは、木質ペレット投入管に取付けできる木質ペレット暖房機の一次燃焼用の燃焼筒体であり、請求項１に記載の１．）と２．）、並びに４．）が図れる投入シュータの構造を提供できる。
【００１９】
請求項４の発明は、投入シュータは、木質ペレットを、燃焼筒体の当接開口壁面を乗越え、底面の内部に到らせる木質ペレット暖房機の一次燃焼用の燃焼筒体であり、請求項１に記載の１．）〜４．）が図れる投入シュータの構造を提供できる。
【００２０】
請求項５の発明は、傾斜山部は、燃焼筒体の底面に取付けできる木質ペレット暖房機の一次燃焼用の燃焼筒体であり、請求項１に記載の１．）〜４．）を達成するに最適な
傾斜山部の構造を提供できる。
【００２１】
請求項６の発明は、燃焼ピットは、燃焼炉の送出側にある、少なくとも、燃焼ガス及び燃えカスを空中に拡散して燃焼可能とする木質ペレット暖房機の一次燃焼用の燃焼筒体であり、請求項１に記載の１．）〜４．）を達成するに最適な燃焼ピットの構造を提供できる。
【図面の簡単な説明】
【００２２】
【図１】暖房機全体を断面視して示した縮尺概念模式図
【図１−１】暖房機全体を含めたハウスに設置した状態を示した装置全体の斜視図
【図１−２】図１−１に示した装置全体の俯瞰図
【図１−３】図１−２に示した装置の要部で、暖房機の燃焼筒体（点火バーナと燃焼ファン等）と燃焼機本体とを示した俯瞰図
【図１−４】図１−２に示した装置の要部で、暖房機の燃焼筒体と、燃焼炉及び煙道とを示した俯瞰図
【図１−５】図１−２に示した装置の要部で、暖房機の燃焼筒体の開閉扉を開放した状態を示した俯瞰図
【図２】暖房機の燃焼筒体と燃焼炉の概念を示した拡大模式図
【図３】図２に示した暖房機の燃焼筒体と燃焼炉の概念を示した拡大模式図
【図４】図１−２に示した装置の要部で、暖房機の燃焼炉の送出側と、この送出側の三次・四次燃焼ピット及び煙道とを示した拡大俯瞰図
【図４−１】図４から抜き出した第二燃焼ピットとなるロストルと、燃焼筒体とを示した送出側より視た拡大俯瞰図
【図４−２】図４から抜き出した第二燃焼ピットとなるロストルと、燃焼筒体とを示した入口側より視た拡大俯瞰図
【図４−３】図４から抜き出した第二燃焼ピットとなるロストルの要部のさらに拡大断面図
【図５】図１−２に示した装置の要部で、暖房機の燃焼炉の送出側と、この送出側の三次・四次燃焼ピットを示した拡大俯瞰図
【図５−１】図５に示した三次・四次燃焼ピットを示した斜視図
【図５−２】図５−１の俯瞰図
【図６−１】燃焼筒体に設けた投入シュータと燃焼筒体に設けた燃えカス送りガイドとなる傾斜山部とを示した、縮尺概念図
【図６−２】図６−１の概念図において、（イ）は、木質ペレットの初期投入状況を、（ロ）は、木質ベレットの点火状況を、（ハ）は、木質ペレットの燃焼と高燃焼到達状況を、（ニ）は、ポストパージ状況であり、燃えカスが、燃焼炉に送られる状況を、それぞれ示した、木質ペレットと堆積した灰との各状況を説明する縮尺模式図
【図７】燃えカスが結晶化（ガラス化）し、機材にこびり付いたものを剥離したガラス塊を示した模式図であり、種々の弊害発生が考えられる
【図８】従来の概念図において、（イ）は、従来の木質ペレットの初期投入状況を、（ロ）は、木質ペレットの点火状況を、（ハ）は、従来の木質ベレットの燃焼と高燃焼到達状況を、（ニ）は、従来のポストパージ状況であり、点火バーナの吹出口と第三燃焼用の燃焼ピットの出口に、燃えカスが残る状況を、それぞれ示した、従来の木質ペレットと堆積した灰との各状況を説明する縮尺模式図
【発明を実施するための形態】
【００２３】
本発明の装置全体の一例を示した図１〜図１−３において、構成要素（部品）の概要は、箱形（一例である）であり、かつ天板面Ｚ（外周上側Ｚ１）に吸込み穴１を備えた木質ペレット燃焼機本体Ａと、燃焼機本体Ａの要部で、かつ後述する燃焼炉Ｃに繋がる後述する（以下、この段落では、省略する）点火バーナと燃焼ファン等を備えた燃焼機構Ｂ（燃焼筒体）と、この燃焼機構Ｂを一面（燃焼炉の入口側Ｘ１）に有しかつ他面（燃焼炉の送出側Ｙ１）が煙道に連通する、燃焼機本体Ａに内設した燃焼炉Ｃと、燃焼機本体Ａの一側面（裏面Ｏ）に接続した煙道と連通する、配管に設けた誘引ファンＤと、この配管と誘引ファンＤとの間に設けた集塵機Ｅと、前記入口側Ｘ１に繋がる木質ペレットＷ（ペレットＷとする）の投入口を備え、かつペレットＷを定量供給（制御）する搬送機構Ｆと、搬送機構Ｆに繋がるタンクＧと、煙突Ｉとでなる。以下、個別に説明する。尚、集塵機Ｅ、搬送機構Ｆ等の付帯設備を装置全体に含めたが、一例である。
【００２４】
燃焼機本体Ａは、図１〜図１−３に示したように、箱形であり、燃焼炉Ｃの入口側Ｘ１となる前面Ｘ、燃焼炉Ｃの送出側Ｙ１となる後面Ｙ、及び燃焼炉Ｃの外周上側Ｚ１となる天板面Ｚ、燃焼炉Ｃの外周裏側Ｏ１となる裏面Ｏ、並びに燃焼炉Ｃの外周表側Ｐ１となる表面Ｐとでなる。天板面Ｚには、空気吸込み穴１と、穴１の直上にファン２を備える。従って、ファン２の回転で、穴１より、燃焼機本体Ａの内面Ａ１と燃焼炉Ｃの外周上側Ｚ１とで形成された空間Ｒ（燃焼炉Ｃの上部）に、外気の送り込みができる。
【００２５】
燃焼機構Ｂは、図１−１〜図１−５に示したように、筒状であり、燃焼炉Ｃの入口側Ｘ１（後述する前部）に突設した筒状の一次燃焼用の燃焼筒体３と、この燃焼筒体３の一方を開閉する開閉扉３ａと、開閉扉３ａに付設される点火バーナ４（バーナ４とする）と、燃焼ファン６（押込みファン）と、開閉扉３ａの上側に入口部が繋がり、かつ開閉扉３ａ（燃焼筒体３の当接開口壁面３ａ−１）の上側より上側に向かって延設したペレット投入シュータ７とで構成する。従って、ペレットＷが、ペレット投入シュータ７より火格子１１の入口１１ａより内部１１ｂ（燃焼筒体３の当接開口壁面３ａ−１より、火格子１１の内部１１ｂ）に供給された後、バーナ４の働きで、燃焼する。尚、燃焼ファン６の風量を、制御手段Ｂ１で調整することも有り得る。燃焼効率と負圧調整等のためである。制御手段Ｂ１は、燃焼筒体３の下に設けた燃焼ファン６に繋がるチャンバー８と、このチャンバー８に設けた分岐した通路９ａ、９ｂと、通路９ａ、９ｂへの吸込み空気の通過量を規制するダンパ１０とで構成する。この通路９ａは、燃焼筒体３に繋がり、他の通路９ｂは、燃焼炉Ｃの送出側Ｙ１に繋がる構成である。従って、ダンパ１０の切換え制御で、図１に示したように、燃焼筒体３から燃焼炉Ｃの本体部Ｃ１への空気量と、燃焼炉Ｃの後述するロストル下部（燃焼炉Ｃの底部Ｃ２の上側空間）への空気量と、をコントロールする。
【００２６】
また、燃焼筒体３の入口３−１には、燃えカスＷ１送りガイドとなる傾斜山部３００を設け、傾斜山部３００の頂点３００ａは、当接開口壁面３ａ−１に位置する。そして、この頂点３００ａから内部１１ｂに向かって傾斜面３００ｂを有し、かつ端面視して、筒状の中心に窪み３００ｃを備えている。この窪み３００ｃは火炎の通り道であり、かつ木質ペレットＷ、或いは燃えカスＷ１等の滑り道である。
そこで、燃焼筒体３と火格子１１、並びにバーナ４と木質ペレットＷ、或いは燃えカスＷ１等の動きを、図６−２の（イ）〜（ニ）を基に説明する。（イ）は、本発明の初期投入状況であり、内部１１ｂに伸びた投入シュータ７と、バーナ４の火炎を誘導し、かつ燃えカスＷ１を確実に、火格子１１より燃焼炉Ｃに送ることにある。図示の如く、木質ペレットＷは、投入シュータ７により、一気に、燃焼筒体３の火格子１１の内部１１ｂ（燃焼筒体３の内部３−２）と、その近傍に投入され、フラットで、かつ薄い状態に堆積される。次に（ロ）の如く、本発明の木質ペレットＷの点火状況では、木質ペレットＷに対して、バーナ４の火炎が、均一（確実）に当たる（吹掛けられる）とともに、効率的に当たる（火の通りが良い）。また、着火性も極めて優れている。従って、ハウスに於いての温度上昇が早く、作物に好影響を与える。その後、（ハ）の本発明の木質ペレットＷの燃焼と高燃焼到達状況では、木質ペレットＷの投入位置と、燃えカスＷ１が確実に送られることで、燃えカスＷ１はバーナ４の火炎口から流れることと、当接開口壁面３ａ−１に燃えカスＷ１が溜まらず、後述の如く、燃焼炉Ｃに送られる。かつ、高温状態の燃焼炉Ｃで完全燃焼が図れる（高燃焼到達する）。また、ガラス塊Ｗ０の発生は皆無である。その後は、（ニ）の如く、本発明のポストパージ状況であり、高燃焼到達とともに、燃焼炉Ｃの負圧現象で、燃えカスＷ１は、燃焼炉Ｃに送られる。負圧現象（負圧状態）は、燃焼ファン６と誘引ファンＤによる空気、燃焼空気の移動と、強制吸引で達成される。尚、燃焼筒体３の入口３−１と火格子１１の入口１１ａとの間には、環状方向の通路３−３が形成されて、空気、及び／又は、火炎の通り道となる。また、改良後のポストパージ状況では、図７のガラス塊Ｗ０が発生も無く、また、燃えカスＷ１（灰）が、高温の熱に晒される変形防止と、灰がガラス質となり、火格子１１等の機材への付着と、ガラス質（ガラス塊）となること等の防止し、かつ火格子１１、及び燃焼筒体３、三次燃焼ピット３０の内面等の機器の酸化による劣化を無くし得る実益がある。
【００２７】
燃焼炉Ｃの全体形態の一例は、各図で示した如く、全体視して筒状で、外周面の構造は、燃焼炉Ｃの入口側Ｘ１と、燃焼炉Ｃの送出側Ｙ１、及び燃焼炉Ｃの外周上側Ｚ１と、燃焼炉Ｃの外周裏側Ｏ１、並びに燃焼炉Ｃの外周表側Ｐ１とでなる。そして、燃焼炉Ｃの本体部Ｃ１のその入口側Ｘ１には、一次燃焼筒体３が設けられている。なお燃焼機本体Ａの前面Ｘと後面Ｙにおける、燃焼機械Ｂの下方にあたる位置には、温風吹出口１２が設けられており、温風吹出口１２にはダクトＨを取り付ける。燃焼炉Ｃの前部Ｃ３には、前述した燃焼筒体３が設けられている。また、その内周面の構造は、入口側Ｘ１から送出側Ｙ１の長手方向に向かって低いスロープ形状に設置された横断面（長手方向と直交する短手方向の断面）において樋形状となった、空気通路９ｃを備えたロストル１６を設ける。このロストル１６は、後述する本体部Ｃ１にスペースをおいて設けられる外郭底板１６ａと、外郭底板１６ａの上に間隔をおいて設けた内底板１６ｂと、この外郭底板１６ａと内底板１６ｂとの間に形成された通路９ｃ（間隔）と、内底板１６ｂの長手方向に、間隔をおいて横設して開設した吹出スリット１７と、この内底板１６ｂの流れ方向（長手方向と同義）となった側面１６ｃ（堰）と、また、このロストル１６の入口側Ｑ１を、前記燃焼炉Ｃの入口側Ｘ１に延設するとともに、火格子１１の開口側の下面に設置する取付部１６ｄと、で構成する。燃焼炉Ｃの入口側Ｘ１の上には、燃焼筒体３の吹出口が設けられる。また、ロストル１６の送出側Ｒ１は、後述する三次燃焼ピット３０の部屋の上面に繋がる。本発明ではロストル１６の、少なくとも、内底板１６ｂと燃焼炉Ｃの本体部Ｃ１との空間を浮遊する燃焼済・燃焼中等のペレットＷとか燃焼ガス等は、燃焼ファン６の押込力、及び／又は、誘引ファンＤの吸引力で、送出側Ｙ１に向かって移送される。その主体となるのが、ロストル１６の吹出スリット１７からの風（吹出空気）である。この風は、その表面を移送する燃焼済・燃焼中等のペレットＷとか燃焼ガス等を、送出側Ｙ１に向かって押圧する働きと、ペレットＷとか燃焼ガス等を、空間に浮遊させる働きと、を有しており、結果として、完全燃焼と、効率的燃焼が担保される。
【００２８】
ロストル１６の好ましい構成を説明すると、ロストル１６は、外郭底板１６ａと、内底板１６ｂと、この内底板１６ｂの両端部より傾斜方向に逆末広がりとなる両側面１６ｃ、１６ｃで形成される。内底板１６ｂは、多数枚の底板１６ｂ１の繋ぎ目に、第一の吹出スリット１７ａ〜第ｎの吹出スリット１７ｎ（吹出スリット１７）を形成する。この一例では、第一の底板１６ｂ１−ａには、第二の底板１６ｂ１−ｂ〜第ｎの底板１６ｂ１−ｎを、順次、複数枚設けるとともに、前記第一の底板１６ｂ１−ａの送出側Ｒ１の下に、前記第二の底板１６ｂ１−ｂの入口側Ｑ１が積層される構成とし、この第一の底板１６ｂ１−ａの送出側Ｒ１の傾斜角度を保ち（下り傾斜角度とし）、この第二の底板１６ｂ１−ｂの入口側Ｑ１の傾斜角度を少なくし（燃焼炉Ｃの底部Ｃ２に曲り）、前記第一の吹出スリット１７ａ（即ち、第一の吹出風路）を構成する。同様に前記第二の底板１６ｂ１−ｂの送出側Ｒ１〜前記第ｎの底板１６ｂ１−ｎの入口側Ｑ１とで、第二の吹出スリット１７ｂ（即ち、第二の吹出風路）を構成し、以下同様である。各吹出スリット１７（各吹出風路）から、吹出された風と、両側面１６ｃで囲繞された樋形状の空間帯域とにより、空間で浮遊する燃焼済・燃焼中等のペレットＷとか、燃焼ガス等は、少なくとも、この押込み力と樋形状との相乗効果で、燃焼炉Ｃの送出側Ｙ１に向かって移送される。また、空間、及び／又は、三次燃焼ピット３０での浮遊が保証されている。尚、図示しないが、前記第一の底板１６ｂ１−ａの送出側Ｒ１の傾斜角度を保ち（下り傾斜角度とし）、同様に第二の底板１６ｂ１−ｂの入口側Ｑ１の傾斜角度を保ち、そして、同様に第ｎの底板１６ｂ１−ｎの入口側Ｑ１の傾斜角度を保ち、前記第一の吹出スリット１７ａを構成することも可能である。
【００２９】
尚、燃焼炉Ｃの後部Ｃ４で、図１と、図４、図５に示したように、その送出側Ｙ１には、底部Ｃ２より一段、及び／又は、二段低い底面３１（一段より、低いのが二段である）を備えた三次燃焼ピット３０と、底面４１を備えた四次燃焼ピット４０を形成する。三次燃焼ピット３０には、燃焼炉Ｃの底面３１の、表裏面Ｐ、Ｏ側にそれぞれ開設した吸込溝３２、３２（吸気口スリット）を形成する。また、四次燃焼ピット４０には、底面４１に開設した吸込溝４２と、燃えカスＷ１の排出、又は修理用等として役立つ蓋４３とを設ける。従って、三次燃焼ピット３０・四次燃焼ピット４０に送られた燃焼ガス、又は燃えカスＷ１は、底面３１に開設した吸込溝３２、及び／又は、底面４１に開設した吸込溝４２（吸気口スリット）より吸込んだ上昇気流と、誘引ファンＤの吸引力とにより、図５に示すように、燃焼炉Ｃの空間（三次・四次燃焼ピット３０、４０の空中）に舞い上がり燃焼する。換言すると、略完全燃焼し、燃焼機本体Ａの上部に複数本設けた煙道５０に導かれる。この煙道５０を流れる燃焼ガスと、穴１より空間Ｒに吸込んだ外気との熱交換を介して温風を生成し、この温風を、温風吹出口１２及びダクトＨを経由して、ハウス内に放出し、その暖房を図る。
【００３０】
誘引ファンＤは、燃焼機本体Ａの裏面Ｏ側（一例である）で配管５２を介して集塵機Ｅに接続されており、燃焼炉Ｃの燃焼ガス、及び／又は、燃えカスＷ１は集塵機Ｅを通して吸引する。この吸引量と、燃焼ファン６の押出し量、及び燃焼炉Ｃに存在するペレットＷの量との関係で、燃焼炉Ｃの負圧調整を図る。また、誘引ファンＤに接続した配管５２に接続された集塵機Ｅで遠心分離した燃えカスＷ１（微粒子）を分離した後、美麗な空気を煙突Ｉより放散する。
【００３１】
搬送機構Ｆは、図１〜図１−２に記したように、木質ペレットＷを定量供給することを目的とし、木質ペレットＷを収容したタンクＧに接続した第一スクリューコンベア６０と、そのモータ６１と、センサを備えたサイロ６２、及び第二スクリューコンベア６３と、そのモータ６４と、並びに木質ペレットＷのシュータ６５（投入管）とで構成されている。従って、タンクＧの底部に溜まった木質ペレットＷは、第一スクリューコンベア６０の駆動で、サイロ６２に送られるとともに、付設したセンサの働きで、定量貯留される。その後、燃焼機本体Ａの表面Ｐに設けた制御盤Ｊ（制御機構）の指令があった際に、第二スクリューコンベア６３が駆動して、サイロ６２の木質ペレットＷを、ペレット投入シュータ６５を介して、燃焼筒体３に供給する。
【００３２】
制御盤Ｊは、その他の働きとして、少なくとも、木質ペレットＷの投入量とか、モータ６４と、点火バーナ４と、燃焼ファン６、及び誘引ファンＤの働きを、コントロールすることで、燃焼炉Ｃ内の負圧調整（負圧状態維持）を図り、完全燃焼、及び／又は、燃焼効率の確保、又は供給前の木質ペレットＷのバックファイア（逆火）防止等を図る。燃焼炉Ｃの運転と、点火バーナ４、燃焼ファン６、及び誘引ファンＤ等の操作、調整等を図る。
【００３３】
次に、本発明の燃焼と風（空気）、燃焼ガス等の流れ、動き等の好ましい一例を説明すると、制御盤Ｊのスイッチをオンする。第一スクリューコンベア６０により、サイロ６２に貯留されている木質ペレットＷが、第二スクリューコンベア６３が動いて、ペレット投入シュータ６５より一次燃焼筒体３に送られるとともに、点火バーナ４からの炎で、木質ペレットＷに着火し、燃焼を始める。これに同期して、誘引ファンＤ・燃焼ファン６が機能して、燃焼炉Ｃ内を負圧状態とするとともに、燃焼ファン６の押込力と、誘引ファンＤの燃焼炉Ｃ内の空気（燃焼ガスと燃えカスＷ１等）、又は場合により、吸込溝３２、４２からの外気を強力に引張する（引込む）力により、燃焼炉Ｃの入口側Ｘ１から送出側Ｙ１に向かって、火炎・火炎ガス（燃焼ガス）の流れを形成する。燃焼ファン６の風（風量調節）は、ダンパ１０を調整し、分岐通路（通路９ａ、９ｂ）を流れる空気量を、バランス調整して決定する。即ち、木質ペレットＷの一次燃焼に必要とする火格子１１の下からの空気量と、ロストル１６（二次燃焼ピット２０）円「」に必要な空気量を、決定して、最適な燃焼状態にする。図１の如く、このロストル１６の吹出スリット１７（吹出溝）からの吹出し風と、燃焼炉Ｃ内の負圧状態（マイナス圧）と、燃焼ファン６による空気の押込みとで、ロストル１６と底部Ｃ２との高い位置の入口側Ｘ１から、ロストル１６と底部Ｃ２との低い位置の送出側Ｙ１に向かって、順次、燃焼炉Ｃの本体部Ｃ１に向かって吹出すことで、供給された木質ペレットＷを燃焼しつつ、燃焼ペレットＷの搬送、並びに燃焼ガスと燃えカスＷ１とを、スムーズに、かつ燃焼炉Ｃの入口側Ｘ１から送出側Ｙ１に向かって押込む構造である（ロストル１６の傾斜設置と、吹出スリット１７からの風、及び送出側Ｙ１に向かって収れんされた構造、並びに内底板１６ｂと側面１６ｃでなる樋形状とで、前述の如く、送出す構造である）。
【００３４】
そして、この吹出された燃焼ガスと燃えカスＷ１を、三次燃焼ピット３０に向かって、燃焼炉Ｃの本体部Ｃ１内を乱舞するように送り込む（吹き飛ばすように送り込む）とともに、この三次燃焼ピット３０の数箇所の吸込溝３２からの外気を介して、この三次燃焼ピット３０において、図５の如く、乱舞し、完全燃焼を達成する（三次燃焼ピット３０内に溜まった木質ペレットＷの燃えカスＷ１を舞い上がらせ、さらに燃焼を促進する）。この乱舞は、四次燃焼ピット４０を三次燃焼ピット３０より一段低くしたことと、後側（入口側Ｘ１）に吸込溝４２を設けたことと相俟って、図５に示したような流れとなり、確実に達成できると考えられる。また、本発明の製造工場での実施において確認されている。
【００３５】
また、四次燃焼ピット４０は三次燃焼ピット３０と同じ高さでもよい。
【００３６】
その後、燃焼ガスは、多数本の煙道５０に吸引される（流れる）。この煙道５０を取り巻く空間Ｒに存在する空気との熱交換で、温風が生成される。この温風は温風吹出口１２とダクトＨを介してハウス内に拡散される。
【００３７】
そして、燃焼ガスと燃えカスＷ１及び燃焼灰は、配管５２、及び／又は、誘引ファンＤと配管（符号なし）を介して集塵機Ｅに導き、例えば、遠心分離で、燃焼粒子と燃焼灰、及び清澄な燃焼空気に分離し、燃焼灰を集塵機Ｅにより所定の箱部に蓄積させ、清澄な燃焼空気を煙突Ｉより空気中に拡散する。
【００３８】
尚、四次燃焼ピット４０を設けること、及び／又は、四次燃焼ピット４０を、三次燃焼ピット３０より一段低く構成することで、図５に示した吸込み風の流れと、この風の衝突等が発生し、燃焼ガスと燃焼灰等を舞い上がらせるに十分な旋回流と上昇流が発生するものと考えられる（図５参照）。
【００３９】
図８に示した従来の概念図において（原則として、図番を示すが、仮の番号である」、（イ）は、木質ペレットＷの初期投入状況であり、ペレット入口部から、直接、徐々に燃焼筒体３に供給されることで、図示のようにダンゴ状に積層され易い。従って、（ロ）の如く、木質ペレットＷの点火状況を示すように、点火時間がかかるとともに、着火性が悪く、かつハウスに於いての温度上昇に時間が掛かり、作物に悪影響を与える。当然、（ハ）の如く、木質ベレットＷの燃焼と高燃焼到達状況迄に、時間を要することと、燃焼筒体３の内部（火格子１１）に燃えカスＷ１が溜り易い。（ニ）は、ポストパージ状況であり、点火バーナ４の吹出口（燃焼筒体３の入口３−１）と第三燃焼用の燃焼ピットの出口（後部Ｃ４）に、燃えカスＷ１が残ることと、図７のガラス塊Ｗ０が発生し易い。また、機材への付着により、損傷が発生する可能性がある。
【００４０】
前述した各構造は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。
【符号の説明】
【００４１】
Ａ  燃焼機本体
Ａ１  内面
１  穴
２  ファン
Ｘ  前面
Ｙ  後面
Ｚ  天板面
Ｏ  裏面
Ｐ  表面
Ｒ  空間
Ｂ  燃焼筒体
３  燃焼筒体
３−１  入口
３−２  内部
３−３  通路
３００  傾斜山部
３００ａ  頂点
３００ｂ  傾斜面
３００ｃ  窪み
３ａ  開閉扉
３ａ−１  当接開口壁面
４  点火バーナ
６  燃焼ファン
７  投入シュータ
８  チャンバー
９ａ  通路
９ｂ  通路
９ｃ  通路
１０  ダンパ
１１  火格子
１１ａ  入口
１１ｂ  内部
１２  温風吹出口
Ｂ１  制御手段
Ｃ  燃焼炉
Ｃ１  本体部
Ｃ２  底部
Ｃ３  前部
Ｃ４  後部
１２  温風吹出口
１６  ロストル
１６ａ  外郭底板
１６ｂ  内底板
１６ｂ１−ａ  第一の底板
１６ｂ１−ｂ  第二の底板
１６ｂ１−ｎ  第ｎの底板
１６ｃ  側面
１６ｄ  取付部
１７  吹出スリット
１７ａ  第一の吹出スリット
１７ｂ  第二の吹出スリット
１７ｎ  第ｎの吹出スリット
Ｘ１  入口側
Ｙ１  送出側
Ｚ１  外周上側
Ｏ１  外周裏側
Ｐ１  外周表側
Ｑ１  入口側
Ｒ１  送出側
２０  二次燃焼ピット
３０  三次燃焼ピット
３１  底面
３２  吸込溝
４０  四次燃焼ピット
４１  底面
４２  吸込溝
４３  蓋
Ｄ  誘引ファン
５０  煙道
５２  配管
Ｅ  集塵機
Ｆ  搬送機構
６０  第一スクリューコンベア
６１  モータ
６２  サイロ
６３  第二スクリューコンベア
６４  モータ
６５  シュータ
Ｇ  タンク
Ｈ  ダクト
Ｉ  煙突
Ｊ  制御盤
Ｗ  木質ペレット
Ｗ０  ガラス塊
Ｗ１  燃えカス
【図１】
0006598631.tif 000002
【図１−１】
0006598631.tif 000003
【図１−２】
0006598631.tif 000004
【図１−３】
0006598631.tif 000005
【図１−４】
0006598631.tif 000006
【図１−５】
0006598631.tif 000007
【図２】
0006598631.tif 000008
【図３】
0006598631.tif 000009
【図４】
0006598631.tif 000010
【図４−１】
0006598631.tif 000011
【図４−２】
0006598631.tif 000012
【図４−３】
0006598631.tif 000013
【図５】
0006598631.tif 000014
【図５−１】
0006598631.tif 000015
【図５−２】
0006598631.tif 000016
【図６−１】
0006598631.tif 000017
【図６−２】
0006598631.tif 000018
【図７】
0006598631.tif 000019
【図８】
0006598631.tif 000020